【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】  プロジェクションシステムであって、以下：
照射ビームを変調して画像ビームを形成するため、および第２光路に沿って、該画像ビームを反射するための、第１光路に沿って照射ビームを受光するために配置されたディスプレイ装置；および
該第２光路において配置され、該第２光路に関して偏心される、該画像ビームを視準するための、視準レンズ群、
を包含する、プロジェクションシステム。
【請求項２】  前記視準レンズ群が、前記第２光路に関して、非ゼロ角度を形成する光軸を有する、請求項１に記載のプロジェクションシステム。
【請求項３】  システム軸を有する、請求項２に記載のプロジェクションシステムであって、前記視準レンズ群の前記光軸は、該システム軸に関して、平行である、プロジェクションシステム。
【請求項４】  システム軸を有する、請求項２に記載のプロジェクションシステムであって、前記視準レンズ群が、該システム軸に関して、偏心される、プロジェクションシステム。
【請求項５】  システム軸を有する、請求項２に記載のプロジェクションシステムであって、前記ディスプレイ装置が、該システム軸に関して、偏心される、プロジェクションシステム。
【請求項６】  システム軸を有し、さらに、前記ディスプレイ装置と前記視準レンズ群との間に配置されるフィールドレンズを包含する請求項２に記載のプロジェクションシステムであって、該フィールドレンズが、前記システム軸に関して偏心される、プロジェクションシステム。
【請求項７】  さらに、前記視準された画像ビームを受光するために配置される、プロジェクションレンズ群を包含する請求項２に記載のプロジェクションシステムであって、該プロジェクションレンズ群が、光軸を有し、そして前記視準レンズ群の前記光軸に関して、偏心される、請求項２に記載のプロジェクションシステム。
【請求項８】  前記プロジェクションレンズ群の前記光軸が、前記視準レンズ群の前記光軸に関して、非ゼロ角度を形成する、請求項７に記載のプロジェクションシステム。
【請求項９】  システム軸を有する、請求項８に記載のプロジェクションシステムであって、前記視準レンズ群が、該システム軸に関して、偏心される、プロジェクションシステム。
【請求項１０】  前記ディスプレイ装置が、前記システム軸に関して偏心される、請求項９に記載のプロジェクションシステム。
【請求項１１】  さらに、前記ディスプレイ装置と前記視準レンズ群との間に配置されたフィールドレンズを包含する請求項１０に記載のプロジェクションシステムであって、該フィールドレンズが、前記システム軸に関して、偏心されるプロジェクションシステム。
【請求項１２】  前記視準レンズ群がセクション化された広視野レンズを包含する、請求項１に記載のプロジェクションシステム。
【請求項１３】  前記視準レンズ群がさらに、前記プロジェクションシステムによって、前記画像ビーム中で、誘起された収差を矯正するための収差補償要素を包含する、請求項１２に記載のプロジェクションシステム。
【請求項１４】  プロジェクションシステムであって、以下：
第１光路に沿って、照射ビームを放出するための照射源；
該照射ビームを変調して画像ビームを形成するため、および第２光路に沿って該画像ビームを反射するための、該第１光路に配置されるディスプレイ装置；ならびに
該第２光路に配置され、そして該第２光路と非ゼロ角度を形成する光軸を有する、該画像ビームを視準するための、視準レンズ群、
を包含する、プロジェクションシステム。
【請求項１５】  前記視準レンズ群が、前記第２光路に関して、偏心される、請求項１４に記載のプロジェクションシステム。
【請求項１６】  前記視準レンズ群の前記光軸が、前記第１光路と前記第２光路との間で形成される角の二等分線に対して平行である、請求項１５に記載のプロジェクションシステム。
【請求項１７】  前記視準レンズ群が、前記第１光路と前記第２光路との間で形成される角の二等分線に関して偏心される、請求項１５に記載のプロジェクションシステム。
【請求項１８】  前記ディスプレイ装置が、前記第１光路と前記第２光路との間で形成される角の二等分線に関して偏心される、請求項１５に記載のプロジェクションシステム。
【請求項１９】  さらに、前記第１光路および前記第２光路において、前記ディスプレイ装置に隣接して配置されるフィールドレンズを含み、該フィールドレンズが、該第１光路と該第２光路との間で形成される角の二等分線に関して偏心される、請求項１５に記載のプロジェクションシステム。
【請求項２０】  さらに、前記視準された画像ビームを受光するために配置されるプロジェクションレンズ群を包含する請求項１５に記載のプロジェクションシステムであって、該プロジェクションレンズ群が、光軸を有し、そして前記視準レンズ群の前記光軸に関して、偏心される、請求項１５に記載のプロジェクションシステム。
【請求項２１】  前記プロジェクションレンズ群の前記光軸が、前記視準レンズ群の前記光軸と非ゼロ角度を形成する、請求項２０に記載のプロジェクションシステム。
【請求項２２】  前記視準レンズ群の前記光軸が、前記第１光路と前記第２光路との間で形成される角の二等分線に対して平行である、請求項２１に記載のプロジェクションシステム。
【請求項２３】  前記ディスプレイ装置が、前記二等分線に関して、偏心される、請求項２２に記載のプロジェクションシステム。
【請求項２４】  さらに、前記第１光路および前記第２光路において、前記ディスプレイ装置に隣接して配置されるフィールドレンズを含み、該フィールドレンズが、前記二等分線に関して偏心される、請求項２３に記載のプロジェクションシステム。
【請求項２５】  ディスプレイ画像を投影する方法であって、該方法は、以下：
画像ビームを形成するために、反射型ディスプレイ装置で第１光路に沿って受光する照射ビームを変調する工程；
該映像ビームを、第２光路に沿って反射する工程；および
該第２光路に関して、非ゼロ角度を形成する光軸を有する視準レンズ群で、該映像ビームを視準する工程、
を包含する、方法。
【請求項２６】  前記視準レンズ群が、セクション化された広視野レンズを包含する、請求項２５に記載の、ディスプレイ画像を投影する方法。
【請求項２７】  前記視準レンズ群が、前記第２光路に関して、偏心される、請求項２５に記載の、ディスプレイ画像を投影する方法。
【請求項２８】  光軸を有し、そして、前記視準レンズ群の前記光軸に関して、偏心されたプロジェクションレンズ群を通して、前記視準された画像ビームを通過させることによって、前記ディスプレイ画像を投影する工程をさらに包含する、請求項２７に記載の、ディスプレイ画像を投影する方法。
【請求項２９】  さらに、前記視準レンズ群の前記光軸と非ゼロ角度を形成する光軸を有する、プロジェクションレンズ群を通して、前記視準された画像ビームを通過させることによって、前記ディスプレイ画像を投影する工程を包含する、請求項２７に記載の、ディスプレイ画像を投影する方法。
【請求項３０】  システム軸を有するプロジェクションシステムにおける、請求項２７に記載の、ディスプレイ画像を投影する方法であって、前記視準レンズ群の前記光軸が、該システム軸に対して平行である方法。
【請求項３１】  システム軸を有するプロジェクションシステムにおける、請求項２７に記載の、ディスプレイ画像を投影する方法であって、さらに、該システム軸と非ゼロ角度を形成する光軸を有する、プロジェクションレンズ群を通して、前記視準された画像ビームを通過させることによって、該ディスプレイ画像を投影する工程を包含する、方法。
【請求項３２】  システム軸を有するプロジェクションシステムにおける、請求項２７に記載の、ディスプレイ画像を投影する方法であって、前記ディスプレイ装置が、該システム軸に関して、偏心される、方法。
【請求項３３】  システム軸を有するプロジェクションシステムにおける、請求項２７に記載の、ディスプレイ画像を投影する方法であって、該システム軸に関して、偏心されるフィールドレンズを通して、前記画像ビームを通過させる工程をさらに包含する、方法。
【請求項３４】  前記視準レンズ群が、セクション化された広視野レンズを包含する、請求項２７に記載の、ディスプレイ画像を投影する方法。
【請求項３５】  以下：
第１光路に沿って、照射ビームを放出するための照射源；
照射ビームを変調して画像ビームを形成するため、および該第１光路と非ゼロ角度を形成する第２光路に沿って、該画像ビームを反射するために、該第１光路にて、配置されるディスプレイ装置；
該第２光路と非ゼロ角度を形成する光軸を有し、ならびに該第２光路に配置される、視準レンズ群であって、第３光路に沿って該画像ビームを視準するためのものであり、該第３光路が、該第２光路と非ゼロ角度を形成する、視準レンズ群；ならびに
該第３光路に関して共心された光軸を有する、プロジェクションレンズ群、
を包含する、プロジェクションシステム。
【請求項３６】  さらに、以下：
前記照射ビームを偏光するため、前記照射源と前記ディスプレイ装置との間の、前記第１光路に配置される、偏光子；ならびに
前記画像ビームを解析するため、該ディスプレイ装置と前記視準レンズ群との間の、前記第２光路に配置される、検光子、
を包含する、請求項３５に記載の、プロジェクションシステム。
【請求項３７】  さらに以下：
前記照射ビームを複数の、カラー照射ビームへと分解するため、前記検光子と前記照射源との間で配置される、色分解手段；
、関連色照射ビームを変調して関連色画像ビームを形成するため、該カラー照射ビームのうち対応する１つと各々関連した、複数のディスプレイ装置；ならびに該画像ビームを形成するために該カラー画像ビームを結合させるための、色結合（ｃｏｌｏｒ  ｃｏｍｂｉｎｉｎｇ）手段、
を包含する、請求項３６に記載のプロジェクションシステム。
【請求項３８】  さらに、以下：
前記複数のディスプレイ装置の１つと、それぞれ関連し、そして前記関連したディスプレイ装置と前記色分解手段との間に配置されている、複数の偏光子；ならびに
該複数のディスプレイ装置の１つと、それぞれ関連し、そして該関連したディスプレイ装置と前記色併合手段との間に配置されている、複数の検光子；
を包含する、請求項３７に記載のプロジェクションシステム。